(57)【要約】【課題】  電車などの車内では傘を手で支えていなければならなく、手が自由に使えなくて不便であった。そこで、本発明の傘支え具を股に装着し、その支え具に傘を差し込むことで、両手が自由に使えるようにする。【解決手段】  傘脱着口１と股接着曲がり部２は連結していて、傘脱着口１は自在に回転する。股接着曲がり部２の中を通っているベルト３を股に巻いて止め、傘支え具１０を固定させる。傘を傘脱着口１に差し込み自立させる。  シ−トに座るときは、傘の上部を手で支えながら座ると、その動作に連動して股接着曲がり部２がほぼ９０度回転し、手を離すと傘は再び自立する。【選択図】図１
2015217278.tif 000002
【特許請求の範囲】
【請求項１】
閉じた傘を差し込めるほどに縦に開いている回転自在の傘脱着口と、
前記傘脱着口と連結していて、ベルトを通すための貫通孔を有する股接着曲がり部と、
前記ベルトの一端あるいは両端に前記ベルトを股に固定するための固定具が備えられていることで構成されることを特徴とする傘支え具。
【請求項２】
前記傘脱着口は円柱状ないし円筒状の軸によって前記股接着曲がり部と連結していて、傘が自立するように回転することを特徴とする請求項１記載の傘支え具。
【請求項３】
傘袋収納容器が前記傘脱着口に設けられていることを特徴とする請求項１または２記載の傘支え具。
【発明の詳細な説明】
【技術分野】
【０００１】  本発明は、車内でどちらかの股（もも）に傘を支える器具のベルトを巻いて止め、その器具の傘脱着口に傘を差し込むことで傘が自立し、両手が自由に使えるようになる傘支え具に関するものである。
【背景技術】
【０００２】  従来は、電車などで傘を持ってシ−トに座った場合、傘を片手で支えなければならなく、新聞はもちろん読書もままならず、最近ではスマホもやりにくいのが現状であった。さらに、立たなければならないときはもう一方の手で吊革等をつかむと、なにもできない状態が常であった。【０００３】  また、座っている人の中には自分の脇のシ−トに斜めに立てかけている人もいるが前に立っている人や通る人には迷惑であったり、両足で傘を挟んで両手を使っている人や、立っている人の中にはズボンのポケットに傘の柄をかけている人もいるが、かなり無理があったりするのが現状であった。【０００４】  小さな子供の傘を親の傘にまとめて下げる保持具はあった。これはベルトに脱着口がついたものであるが、回転せず（例えば特許文献１参照）、傘の取り扱い・使い勝手が悪かった。
【先行技術文献】
【０００５】
【特許文献１】特開２０１１−１５９３７号  公報
【発明の概要】
【発明が解決しようとする課題】
【０００６】  従来の傘保持具ないし支え具は、股に巻いて座席シ−トに座ろうとすると、傘の先が前方に跳ね上がってしまうという問題点があった。
【課題を解決するための手段】
【０００７】  そこで、本願は携帯に便利で簡単に脱着ができ、傘を手から解放できる器具を提供する。
閉じた傘を差し込めるほどに縦に開いている回転自在の円筒形状の傘脱着口と、前記傘脱着口と連結していてベルトを通すための貫通孔を有する股接着曲がり部と、前記ベルトの一端あるいは両端に前記ベルトを股に固定するための固定具が備えられていることで構成されることを特徴とする傘支え具を提供する。【０００８】  これにより、本発明の傘支え具は、一方の股に傘支え具に付属しているベルトを巻いて止めることで固定でき、傘支え具の傘脱着口に傘を差し込むことで、傘は自立し、両手が自由に使えるようになるものである。ベルトを通すための貫通孔があるために傘脱着口を自由に移動させることができる。【０００９】  前記傘脱着口は円柱状ないし円筒状の軸によって前記股接着曲がり部と連結していて、回転できるようになっていることを特徴とする傘支え具を提供する。【００１０】  これにより、前記傘脱着口と前記股接着曲がり部は連結しているが、自在に回転できるようになっていることで、前記脱着口に差し込まれた傘は常にほぼ垂直に自立し、両手が自由に使えるようになる。
【発明の効果】
【００１１】  本発明を使用することによって、傘脱着口が自由に回転し、立っていても座っていても傘を手で支えなければならない煩わしさから解放され、精神面でリラックスできる。さらに、両手が自由になることで、読書をするなりスマホをするなりと、車内でより有意義な時間を過ごすことができる。
【図面の簡単な説明】
【００１２】
【図１】本発明の傘支え具の斜視図
【図２】本発明の傘脱着口付近の上面図
【図３】本発明の傘脱着口付近の背面図
【図４】本発明の傘脱着口付近の右側面図
【図５】本発明の傘脱着口付近の左側面図
【図６】本発明の傘支え具の使用状態（立っている人への適用）を示す外観図
【図７】本発明の傘支え具の使用状態（座わっている人への適用）を示す外観図
【図８】本発明の傘脱着口に設けられた、傘袋収納容器の例
【発明を実施するための形態】
【００１３】  以下、本発明の傘支え具１０の形態について、図面を利用して説明する。図１は本発明の傘支え具１０の斜視図である。
【００１４】  傘脱着口１は、例えば、内径略４０ｍｍ、高さ略４０ｍｍ、厚さ略２ｍｍの円筒形の一部が開いている形で、左端の曲がり部ａと右端の曲がり部ｂの間はある程度（略２５ｍｍ）縦に開いていて、傘を差し込もうとすると左右にやや広がるようになっている。両端は中央部がやや丸みを帯びながらなだらかに突出している形になっている。傘脱着口の形状は円筒形に限定されず、断面コの字形であってもＣ字形であってもまた、楕円形などであってもよい。
さらに、左端の曲がり部ａおよび右端の曲がり部ｂの形は、傘がよりスム−ズに脱着するために、左右対称でない方が望ましい。
【００１５】  股接着曲がり部２は、例えば、内径略１３０ｍｍ、高さ略３５ｍｍ、厚さ略４ｍｍ、長さ略４０〜６０ｍｍの形をしており、中の貫通孔はベルトを通すことができるほどの空間である。この股接着曲がり部２は自身の内部に固定されている円柱状ないし円筒状の軸５によって傘脱着口１と連結されており、傘脱着口１は回転できるようになっている。
傘脱着口１と股接着曲がり部２および傘袋収納容器６の材質は特に限定されないが、プラスチッックや耐食性の金属などが好ましい。
【００１６】  公知の技術を用いて、まず貫通孔があり軸が固定されている股接着曲がり部２を作り、次に孔を空けた傘脱着口１を軸に通し、傘脱着口１が外れないように軸の端部を突起物で接着する。
【００１７】  なお、傘脱着口１には、濡れた傘袋を入れる傘袋収納容器６を隣接して設けてもよい。傘袋収納容器６は、例えば内径略４０ｍｍ、高さ略４５ｍｍ、厚さ略２ｍｍの円筒形で底が設けられている。傘袋収納容器６が傘脱着口１に設けられているとは、例えば、図８の（ａ）は軸５の位置が傘脱着口１にある例であり、（ｂ）は軸５の位置が傘脱着口１と傘袋収納容器６の両方に固定されている板の中間にある例である。蓋はある方が好ましく、傘袋収納容器６に部分的に１箇所付属していて、容易にしかも確実に開閉ができるものが望ましい。
【００１８】  ベルト３は、例えば、高さ略２５ｍｍ、厚さ略１ｍｍ、長さは成人男性のやや太めの股に巻いても略５０ｍｍ余るほどの形をしており、両端に固定部４、４がある。固定部４、４は面ファスナ−でもボタンでもよい。またベルト３の一端に設けられたリング部を通って折り返し畳んでもう一端に設けられた固定部４、例えばフックとル−プが隣接して設けられた面ファスナ−で固定してもよく（フック部を前記リング部に通し、折り返して前記リング部を通っていないループ部に固定）、付け剥がしないしは止め外しができるものなら何でも可能である。
図１では、ベルト３の両端は面ファスナ−で、一端は内側が固定部（フック）４であり、もう一端は外側が固定部（ル−プ）４である。
【００１９】  図２は、本発明の傘脱着口１付近の上面図である。傘脱着口１と股接着曲がり部２の連結部の軸５は、外径略１６ｍｍの円柱状ないし円筒状のもので、例えば股接着曲がり部２に固定しているが、傘脱着口１には固定しておらず、傘脱着口１は傘脱着口１に空けられた孔を中心に回転する。
軸５の端部に設けられた突起により傘脱着口１は股接着曲がり部２から外れないようになっている。
【００２０】  図３、４、５は図２をそれぞれ角度を変えて見た図である。
【００２１】  以下、本発明の傘支え具の使用方法について、図１を利用して説明する。
【００２２】  （イ）傘支え具１０の股接着曲がり部２を股に当て、ベルト３を股に巻いてベルト３の両端の固定部４を用いて股に固定する。
（ロ）傘支え具１０の傘脱着口１を、傘を前方から差し込めるように回転させ、傘を傘脱着口１の左端の曲がり部ａと右端の曲がり部ｂの間から差し込むと、傘は自立する。自立するとは、傘の先端が床についているとき傘自身の重さでほぼ垂直に立ち、立っている状態から座るときにも傘はほぼ垂直のままで、股接着曲がり部２が回転することで、傘がそのまま立ち続けることをいう。
（ハ）人が立っている状態からシ−トでの座位になるときは、自立している傘の上部を少し持ち上げながら座るだけで、股接着曲がり部２が座る動作と連動して回転し、手を離すと傘は再び自立する。
【００２３】  図６は、人が立っている状態で傘支え具１０を、傘脱着口１が左脚の股の外側に来るようにベルト３を巻いて固定部４で止め、傘を支え具１０の脱着口１に差し込んであるところの外観図である。
【００２４】  図７は、人が座席シ−トに座っている状態で傘支え具１０を、傘脱着口１が左脚の股の外側に来るようにベルト３を左脚の股に巻いて固定部４で止め、傘を支え具１０の脱着口１に差し込んであるところの外観図である。
【００２５】  また、股の外側から内側に傘脱着口１を移動させるときは、傘を一旦外し、股接着曲がり部２に貫通孔があることで傘脱着口１を内側に容易に移動させることができる。その後、傘を再び差し込めばよい。
【００２６】  さらに、本発明の傘支え具１０が一時不用になったとき、傘を傘支え具１０の脱着口１からはずし、傘支え具１０はそのまま股に巻いて止めておくだけでもよく、またベルト３の固定部４をはずし、傘支え具１０と傘を一緒にベルト３の固定部４で巻きつけることでもよい。
【００２７】  濡れた傘袋が不用になったときは、傘袋を傘から外し傘袋を収納容器６に入る程度に丸めるなり畳むなりして、収納すればよい。
【符号の説明】
【００２８】  １  本発明の傘支え具の傘脱着口
２  股接着曲がり部
３  ベルト
ａ  １の傘脱着口の左端の曲がり部
ｂ  １の傘脱着口の右端の曲がり部
４  固定部
５  軸
６  傘袋収納容器
７  板
１０  傘支え具
【図１】
2015217278.tif 000003
【図２】
2015217278.tif 000004
【図３】
2015217278.tif 000005
【図４】
2015217278.tif 000006
【図５】
2015217278.tif 000007
【図６】
2015217278.tif 000008
【図７】
2015217278.tif 000009
【図８】
2015217278.tif 000010